(57)【要約】  本発明は、抜歯されたときに使用される歯科インプラントに関する。本発明の歯科インプラントは、抜歯後に、短期間および長期間移植安定性を高めるべく歯槽内に配置される。本発明の歯科インプラントは、プロテーゼ要素を固定する手段に加え、インプラントを骨の皮質領域内にねじ込むためのねじ山（１）と、該ねじ山（１）より小さくかつねじ山（１）間に配置された付加的セルフタッピング微小ねじ山（２）が設けられた円錐状本体を有している。【選択図】図１
2011505884.tif 000002
【特許請求の範囲】
【請求項１】
ねじ山（１）が形成された円錐状本体を有する抜歯後歯科インプラントにおいて、骨の海綿領域および皮質領域の両方にインプラントをねじ込むことができるように、ねじ山（１）が本体の全長に沿って延びていることを特徴とする抜歯後歯科インプラント。
【請求項２】
前記ねじ山（１）の間に配置された、ねじ山（１）より小さいサイズの少なくとも１つのセルフタッピング微小ねじ山（２）を有していることを特徴とする請求項１記載の抜歯後歯科インプラント。
【請求項３】
前記ねじ山（１）および微小ねじ山（２）は同じねじピッチを有していることを特徴とする請求項２記載の抜歯後歯科インプラント。
【請求項４】
前記ねじ山（１）はセルフタッピングねじであることを特徴とする請求項１または２記載の抜歯後歯科インプラント。
【請求項５】
前記ねじ山（１）は、骨の皮質領域に固定されることを意図したインプラントの上方領域におけるねじ山の幅が、インプラントの残部に沿うねじ山の幅よりも小さいことを特徴とする請求項１、２または４のいずれか１項記載の抜歯後歯科インプラント。
【請求項６】
プロテーゼ要素を固定する手段を有することを特徴とする請求項１から５のいずれか１項記載の抜歯後歯科インプラント。
【請求項７】
前記固定手段は外側連結部（３）を有し、該外側連結部（３）の下方部分には、ねじ山付要素すなわちスクリュウを保持するためのねじ山付孔（４）が、インプラントの軸線に沿って延びていることを特徴とする請求項６記載の抜歯後歯科インプラント。
【請求項８】
前記外側連結部（３）は六角形であることを特徴とする請求項７記載の抜歯後歯科インプラント。
【請求項９】
前記固定手段は、インプラントの軸線に沿って整合している円錐状キャビティ（５）を有し、該円錐状キャビティ（５）の下方部分には六角形キャビティ（６）が延びており、更に、ねじ山付要素すなわちスクリュウを保持するためのねじ山付孔（７）が軸線方向に整合して設けられていることを特徴とする請求項６記載の抜歯後歯科インプラント。
【発明の詳細な説明】
【技術分野】
【０００１】
発明の名称に示すように、本特許出願は、抜歯直後に、抜歯後の歯槽内に置換されることを意図した形式の歯科インプラントに関する。
【０００２】
より詳しくは、本発明は抜歯後歯科インプラントに関し、その目的とするところは、インプラントの長期安定性および短期安定性の両方を増大させることにある。
【背景技術】
【０００３】
現在、歯科インプラント技術は広く普及しており、歯科医および患者の両者による歯科インプラント技術の使用および受入れが一般的になっている。歯科インプラント技術は、歯根を、対応するプロテーゼが連結されるインプラントで置換することを可能にする。
【０００４】
初期のインプラント技術では、インプラントにより置換すべき歯を抜くと、固定具を設置できるようになるのに約６−１２ヶ月の待機期間を要した。抜歯領域の周囲の骨が骨化してチタンインプラントを受入れかつ一体化する準備を整えるために、そのような時間を待機しなければならないことは受入れられていた。
【０００５】
しかしながら、このプロトコルは、事故、歯周病または他の原因により前歯が外傷性損失された状況での迅速な審美的解決に対する極めて大きな要望への応答を妨げてきた。
【０００６】
かくして、歯槽すなわち抜かれた歯の歯根(単一または複数)により残されたスペース内に移植される抜歯後インプラントは、この要望に対応するものである。
【０００７】
これらのインプラントは、通常のインプラントよりも明白な円錐性（conicity）を有する。なぜならば、抜歯直後には、歯槽は依然としてその形状を留めていて、閉じることはなく、したがって、既存の歯槽に適合できることが適しているからである。
【０００８】
この形式の抜歯後インプラントは、現に、審美的妥協領域の結果を改善する良く知られた技術の一部を形成している。なぜならば、抜歯後インプラントは、骨および歯肉組織を保護しかつ修復時間をスピードアップして、歯科的損傷による心理的トラウマおよび修復コストを低減させるからである。
【０００９】
上記のように、前記インプラントは明白な円錐性を有する要素から構成され、その本体は、非ねじ付ヘッドを形成する上部を除き、完全にねじが形成されている。
【００１０】
しかしながら、これらの既知のインプラントは、これらの設計された機能を満たすが、１次安定性および２次安定性に或る不足が見られる。１次安定性すなわち短期安定性は、挿入時の良い機械的係止による、骨へのインプラントの安定的取付けとして定義され、２次安定性すなわち長期安定性は、挿入後のボーン・モス（bone moths）の成長および改造による骨へのインプラントの安定的取付けとして定義される。
【００１１】
この不安定性は、主として、インプラントのヘッドにねじが設けられていないため、インプラントは骨の皮質領域（最外領域）に固定されないという事実によるものであり、このためグリップ能力したがって安定性が喪失される。
【発明の概要】
【発明が解決しようとする課題】
【００１２】
以下に述べる本発明の抜歯後インプラントは、上記欠点を解決するものである。なぜならば、本発明の抜歯後インプラントは、高い１次安定性および２次安定性が得られ、骨への係止を広く改善し、その各移植ステップにおいてインプラントに要求される全ての条件に対して適当な応答が得られ、更に、利用できる骨構造が小さくおよび／または隣接歯にかなり近接している条件でも移植できるからである。
【課題を解決するための手段】
【００１３】
この目的のため、本発明のねじ山付インプラントは、全体として円錐状の幾何学的形状をもつ本体から構成され、該本体の上方領域は大きい直径を有し、ヘッドを形成している。このヘッドは、抜歯後にその使用、すなわち、最近抜かれた歯の歯根により骨に残された空所内に挿入することが可能である。
【００１４】
また、本質的要素として、本発明のインプラントは、ねじ山付上方領域すなわちヘッドを含む全長を有し、ヘッドは、骨の海綿領域（trabecular area）すなわち内側領域だけでなく、皮質領域すなわち外側領域にもインプラントをねじ込むことを可能にし、これにより、インプラントの１次安定性すなわち挿入時の安定性を向上できる。
【００１５】
保持力を更に高める目的で、ねじ山はセルフタッピング形式であり、これにより、インプラント自体が骨にねじ込まれる。
【００１６】
他方で、１次安定性および２次安定性の両方を改善する目的から、本発明のインプラントは、前記ねじ山間に配置された、より小さいサイズの少なくとも１つの微小ねじ山を有し、その機能は、皮質骨へのより強固な固定を達成することにある。
【００１７】
より詳しくは、皮質骨へのこの付加的固定は、皮質骨が、より大きいセルフタッピングねじによりインプラントの大部分が挿入される小柱骨より一層コンパクトであり、したがって、これらの微小ねじ山の挿入が有利でありかつより強固で長期間の取付けが確保されるという理由から達成される。
【図面の簡単な説明】
【００１８】
【図１】本発明のインプラントを示す斜視図である。
【図２】本発明のインプラントを示す第２斜視図である。
【図３】本発明のインプラントを示す概略断面図である。
【図４】本発明の可能な実施形態によるプロテーゼ要素への連結手段を示す断面図である。
【図５】本発明の可能な実施形態によるプロテーゼ要素への他の連結手段を示す断面図である。
【発明を実施するための形態】
【００１９】
以下に述べる説明を補完しかつ本発明の好ましい実用的実施形態による本発明の特徴をより良く理解することを補助するため、本発明の説明の一体部分として１組の図面を添付し、非制限的な例として本発明を以下に説明する。
【００２０】
図面には本発明の抜歯後インプラントの一実施形態が示されている。この抜歯後インプラントは、基本的に円錐状本体を有し、該本体には、上方領域すなわちヘッドを含むその全長に沿って延びているねじ山（１）が形成されており、これにより、インプラントは前記ねじ山（１）を介して骨の皮質領域にねじ込むことができる。
【００２１】
本発明の好ましい実施形態によれば、前記ねじ山（１）はセルフタッピング形式であり、したがって、前作業を行なう必要なく、インプラント自体を骨にねじ込むことができる。
【００２２】
また、図面から理解されるように、皮質骨へのより強固な固定を達成する目的から、本発明の抜歯後インプラントは、ねじ山（１）の間に配置された、ねじ山（１）より小さいサイズの少なくとも１つのセルフタッピング微小ねじ山（２）を有している。本発明の好ましい実施形態によれば、ねじ山（１）および微小ねじ山（２）の両方が、０．６−１ｍｍの間の同じねじピッチを有している。
【００２３】
更に、本発明の他の可能な実施形態によれば、ねじ山（１）は、骨の皮質領域に固定することを意図したヘッドの上方領域において異なる幅を有し、この幅は、インプラントに沿って形成された残部のねじ山（１）より小さいサイズとし、これにより係止を助けることが好ましい。
【００２４】
かくして、本発明の可能な一実施形態によれば、ねじ山（１）は０．３−０．５ｍｍの間の幅を有し、この場合、本体に形成されるねじ山は０．４−０．５ｍｍの間のサイズとし、ヘッドに形成されるねじ山は、上述のように０．３０−０．３５ｍｍの間のより小さいサイズにする。
【００２５】
他方で、本発明の可能な実用的実施形態によれば、微小ねじ山（２）は、ヘッドの領域のねじ山（１）のサイズの１／３のサイズを有している。
【００２６】
プロテーゼ要素との連結を可能にする目的から、本発明の抜歯後インプラントは、図４および図５に示すような固定手段を有している。
【００２７】
より詳しくは、図４には、六角形形式の外側連結部（３）を備えた可能な一実施形態が示されており、該連結部の下方部分には、ねじ山付要素すなわちスクリュウを保持するねじ山付孔（４）が、インプラントの軸線に沿って延びている。
【００２８】
図５には、他の可能な実施形態が示されており、この実施形態では、前記固定手段（この場合には内側固定手段）は円錐状キャビティ（５）を有し、該円錐状キャビティ（５）は、インプラントの軸線に沿って整合しかつ六角形キャビティ（６）内の下方部分に延びている。六角形キャビティ（６）の下には、ねじ山付要素すなわちスクリュウを保持するねじ山付孔（７）が形成され、該孔（７）も軸線方向に整合している。
【００２９】
かくして、図５に示す実施形態では、プロテーゼ要素とインプラントとの連結が、通しボルトを用いた摩擦による円錐状連結部により行われる形式であり、更にこの連結部では、六角形キャビティ（６）が回転防止手段を形成する。
【図１】
2011505884.tif 000003
【図２】
2011505884.tif 000004
【図３】
2011505884.tif 000005
【図４】
2011505884.tif 000006
【図５】
2011505884.tif 000007
【手続補正書】
【提出日】平成22年3月5日(2010.3.5)
【手続補正１】
【補正対象書類名】特許請求の範囲
【補正対象項目名】全文
【補正方法】変更
【補正の内容】
【特許請求の範囲】
【請求項１】
ねじ山（１）が形成された円錐状本体を有し、ねじ山（１）が前記本体の全長に沿って延びている抜歯後歯科インプラントにおいて、ねじ山（１）より小さいサイズの少なくとも１つのセルフタッピング微小ねじ山（２）を有し、該微小ねじ山（２）は前記ねじ山（１）の間に配置されており、骨の海綿領域および皮質領域の両方へのインプラントのねじ込みが確保されることを特徴とする抜歯後歯科インプラント。
【請求項２】
前記ねじ山（１）および微小ねじ山（２）は同じねじピッチを有していることを特徴とする請求項１記載の抜歯後歯科インプラント。
【請求項３】
前記ねじ山（１）はセルフタッピングねじであることを特徴とする請求項１記載の抜歯後歯科インプラント。
【請求項４】
前記ねじ山（１）は、骨の皮質領域に固定されることを意図したインプラントの上方領域におけるねじ山の幅が、インプラントの残部に沿うねじ山の幅よりも小さいことを特徴とする請求項１または３記載の抜歯後歯科インプラント。
【請求項５】
プロテーゼ要素を固定する手段を有することを特徴とする請求項１から４のいずれか１項記載の抜歯後歯科インプラント。
【請求項６】
前記固定手段は外側連結部（３）を有し、該外側連結部（３）の下方部分には、ねじ山付要素すなわちスクリュウを保持するためのねじ山付孔（４）が、インプラントの軸線に沿って延びていることを特徴とする請求項５記載の抜歯後歯科インプラント。
【請求項７】
前記外側連結部（３）は六角形であることを特徴とする請求項６記載の抜歯後歯科インプラント。
【請求項８】
前記固定手段は、インプラントの軸線に沿って整合している円錐状キャビティ（５）を有し、該円錐状キャビティ（５）の下方部分には六角形キャビティ（６）が延びており、更に、ねじ山付要素すなわちスクリュウを保持するためのねじ山付孔（７）が軸線方向に整合して設けられていることを特徴とする請求項５記載の抜歯後歯科インプラント。
【国際調査報告】
2011505884.tif 000008
2011505884.tif 000009
2011505884.tif 000010
2011505884.tif 000011
2011505884.tif 000012
2011505884.tif 000013